(57)【要約】【課題】スクリーンスピーカに映し出された映像の対象物からあたかも音声が発せられたかのような臨場感あふれる音声を得ること。【解決手段】投影機にて映像を投射されるスクリーン１２を有するスクリーンスピーカ１１から放射される音声の音圧を調整するための音声処理装置２６であって、スクリーン１２から放射される音声に対応する信号である音声信号と、当該音声信号が放射される際のスクリーン１２上の音圧の分布に関する信号である音圧信号とを入力する信号処理部３２と、信号処理部３２から入力された音圧信号に基づいてスクリーン１２上の音圧の分布に関する係数としての音圧分布係数を算出する音声処理部１０と、音声処理部１０によって算出された音圧分布係数と、信号処理部３２から入力された音声信号とに基づいて、スクリーンスピーカ１１を駆動するための駆動信号を生成する音声処理部１０とを有するものとする。【選択図】  図３
2007150777.tif 000002
【特許請求の範囲】
【請求項１】
投影機にて映像を投射されるスクリーンを有するスクリーンスピーカから放射される音声の音圧を調整するための音声処理装置であって、
上記スクリーンから放射される音声に対応する信号である音声信号と、当該音声信号が放射される際の上記スクリーン上の音圧の分布に関する信号である音圧信号とを入力する入力手段と、
上記入力手段から入力された上記音圧信号に基づいて上記スクリーン上の音圧の分布に関する係数としての音圧分布係数を算出する算出手段と、
上記算出手段によって算出された音圧分布係数と、上記入力手段から入力された音声信号とに基づいて、上記スクリーンスピーカを駆動するための駆動信号を生成する生成手段と、
を有することを特徴とする音声処理装置。
【請求項２】
前記音圧分布係数は、前記スクリーンにおいて複数に分割される領域となる分割領域のそれぞれを単位として割り当てられていることを特徴とする請求項１記載の音声処理装置。
【請求項３】
前記分割領域のそれぞれには前記音圧分布係数が割り当てられており、前記生成手段は、前記音圧分布係数と前記音圧信号とに基づいて、それぞれの分割領域を駆動するための前記駆動信号を生成することを特徴とする請求項２記載の音声処理装置。
【請求項４】
前記スクリーンは駆動体によって駆動され、かつ当該駆動体は前記各分割領域にそれぞれ配置されており、前記駆動信号によって上記各駆動体が駆動されることを特徴とする請求項３記載の音声処理装置。
【請求項５】
前記音圧分布係数は、前記スクリーンスピーカの前記スクリーンに投影される映像において、音源が位置する前記分割領域に大きな値が割り当てられ、音源が位置する前記分割領域から離れるに従って小さな値が割り当てられていることを特徴とする請求項２から４のいずれか１項記載の音声処理装置。
【請求項６】
前記分割領域は、前記スクリーンにおいてマトリックス状に設けられており、前記各分割領域に割り当てられる前記音圧分布係数は、前記スクリーンにおいて規定される縦軸および横軸にそれぞれ割り当てられた前記音圧分布係数素の積として与えられることを特徴とする請求項２から５のいずれか１項記載の音声処理装置。
【請求項７】
前記分割領域のうち複数の前記分割領域を１つのユニットとし、上記ユニット毎に前記音圧信号のチャンネルが割り当てられていることを特徴とする請求項２から６のいずれか１項記載の音声処理装置。
【請求項８】
前記チャンネルは、前記スクリーンの左側に形成された前記ユニットに対応する左チャンネルと、前記スクリーンの中央に形成された前記ユニットに対応する中央チャンネルと、前記スクリーンの右側に形成された前記ユニットに対応する右チャンネルの３つのチャンネルであることを特徴とする請求項７記載の音声処理装置。
【請求項９】
前記音声信号に前記音圧信号が付加された状態で前記音圧信号が前記入力手段に入力されることを特徴とする請求項１から８のいずれか１項記載の音声処理装置。
【請求項１０】
前記音圧信号は、前記音声信号と独立して前記入力手段に入力されることを特徴とする請求項１から８のいずれか１項記載の音声処理装置。
【請求項１１】
前記音圧信号と前記音声信号は、前記複数のチャンネルに対応する信号をそれぞれ有し、いずれかの信号を選択するための選択信号に基づいて、これら前記複数のチャンネルのいずれかが選択されることを特徴とする請求項９または１０記載の音声処理装置。
【請求項１２】
投影機にて映像を投射されるスクリーンを有するスクリーンスピーカにおいて、
上記スクリーンから放射される音声に対応する信号である音声信号と、当該音声信号が放射される際の上記スクリーン上の音圧の分布に関する信号である音圧信号とを入力する入力手段と、
上記入力手段から入力された上記音圧信号に基づいて上記スクリーン上の音圧の分布に関する係数としての音圧分布係数を算出する算出手段と、
上記算出手段によって算出された上記音圧分布係数と、上記入力手段から入力された上記音声信号とに基づいて、上記スクリーンスピーカを駆動するための駆動信号を生成する生成手段と、
上記生成手段によって生成された上記駆動信号によって上記スクリーンを駆動する駆動手段と、
を有することを特徴とするスクリーンスピーカ。
【発明の詳細な説明】
【技術分野】
【０００１】
本発明は、音声処理装置、および、スクリーンスピーカに関する。
【背景技術】
【０００２】
従来から、スクリーンにおける左、中央、右の３つの領域にそれぞれチャンネルを設け、各領域にそれぞれのチャンネル用の信号を加えて、スクリーンの前方より音を放出させる３チャンネルのスクリーンスピーカシステムが存在する。このようなタイプのスクリーンスピーカシステムとしては、例えば、特許文献１に開示されているものが知られている。
【０００３】
特許文献１に開示されているスクリーンスピーカでは、振動板となるハニカムパネルの一方の面にスクリーンフィルムが接着され、ハニカムパネルの他方の面に３つのエキサイターが取り付けられている。そして、各エキサイターをそれぞれのチャンネルに対応させると共に、各エキサイターに各チャンネル用の信号を加えてハニカムパネルの左、中央、右の領域を振動させている。
【０００４】
【特許文献１】特開２００３−１２５４７５号公報（図１〜図４）
【発明の開示】
【発明が解決しようとする課題】
【０００５】
近年、より迫力ある映像を提供するために、ホームシアターシステムにおいて、当該映像を映し出すためのスクリーンの大型化が要求されており、スクリーンスピーカにおいても更なる画面の大型化が要求される。また、スクリーンスピーカシステムの大型化を図る場合、それに伴う臨場感あふれる音響システムも要求される。
【０００６】
しかしながら、特許文献１記載のスクリーンスピーカでは、スクリーン全体に映し出される映像のうち最も高い音声出力レベルが求められる音源位置から高いレベルの音声を出力することができない。そのため、特許文献１記載のスクリーンスピーカを大型化した場合、大型化されたスクリーンスピーカからは、大型化する前のスクリーンスピーカから放たれる音声と同程度の臨場感あふれる音声を聞くことができないといった問題を有する。
【０００７】
本発明は、上記の事情にもとづきなされたもので、その目的とするところは、スクリーンスピーカに映し出された映像の対象物（音源）からあたかも音声が発せられたかのような臨場感あふれる音声を得るための音声処理装置を提供しようとするものである。
【課題を解決するための手段】
【０００８】
上記課題を解決するために、本発明は、投影機にて映像を投射されるスクリーンを有するスクリーンスピーカから放射される音声の音圧を調整するための音声処理装置であって、スクリーンから放射される音声に対応する信号である音声信号と、当該音声信号が放射される際のスクリーン上の音圧の分布に関する信号である音圧信号とを入力する入力手段と、入力手段から入力された音圧信号に基づいてスクリーン上の音圧の分布に関する係数としての音圧分布係数を算出する算出手段と、算出手段によって算出された音圧分布係数と、入力手段から入力された音声信号とに基づいて、スクリーンスピーカを駆動するための駆動信号を生成する生成手段と、を有するものである。
【０００９】
また、他の発明は、上述の発明に加えて更に、音圧分布係数は、スクリーンにおいて複数に分割される領域となる分割領域のそれぞれを単位として割り当てられているものである。
【００１０】
また、他の発明は、上述の発明に加えて更に、分割領域のそれぞれには音圧分布係数が割り当てられており、生成手段は、音圧分布係数と音圧信号とに基づいて、それぞれの分割領域を駆動するための駆動信号を生成するものである。
【００１１】
さらに、他の発明は、上述の発明に加えて更に、スクリーンは駆動体によって駆動され、かつ当該駆動体は各分割領域にそれぞれ配置されており、駆動信号によって各駆動体が駆動されるものである。
【００１２】
さらに、他の発明は、上述の発明に加えて更に、音圧分布係数は、スクリーンスピーカのスクリーンに投影される映像において、音源が位置する分割領域に大きな値が割り当てられ、音源が位置する分割領域から離れるに従って小さな値が割り当てられているものである。
【００１３】
さらに、他の発明は、上述の発明に加えて更に、分割領域は、スクリーンにおいてマトリックス状に設けられており、各分割領域に割り当てられる音圧分布係数は、スクリーンにおいて規定される縦軸および横軸にそれぞれ割り当てられた音圧分布係数素の積として与えられるものである。
【００１４】
また、他の発明は、上述の発明に加えて更に、分割領域のうち複数の分割領域を１つのユニットとし、ユニット毎に音圧信号のチャンネルが割り当てられているものである。
【００１５】
また、他の発明は、上述の発明に加えて更に、チャンネルは、スクリーンの左側に形成されたユニットに対応する左チャンネルと、スクリーンの中央に形成されたユニットに対応する中央チャンネルと、スクリーンの右側に形成されたユニットに対応する右チャンネルの３つのチャンネルである。
【００１６】
さらに、他の発明は、上述の発明に加えて更に、音声信号に音圧信号が付加された状態で音圧信号が入力手段に入力されるものである。
【００１７】
さらに、他の発明は、上述の発明に加えて更に、音圧信号は、音声信号と独立して入力手段に入力されるものである。
【００１８】
また、他の発明は、上述の発明に加えて更に、音圧信号と音声信号は、複数のチャンネルに対応する信号をそれぞれ有し、いずれかの信号を選択するための選択信号に基づいて、これら複数のチャンネルのいずれかが選択されるものである。
【００１９】
また、本発明は、投影機にて映像を投射されるスクリーンを有するスクリーンスピーカにおいて、スクリーンから放射される音声に対応する信号である音声信号と、当該音声信号が放射される際のスクリーン上の音圧の分布に関する信号である音圧信号とを入力する入力手段と、入力手段から入力された音圧信号に基づいてスクリーン上の音圧の分布に関する係数としての音圧分布係数を算出する算出手段と、算出手段によって算出された音圧分布係数と、入力手段から入力された音声信号とに基づいて、スクリーンスピーカを駆動するための駆動信号を生成する生成手段と、生成手段によって生成された駆動信号によってスクリーンを駆動する駆動手段と、を有するものである。
【発明の効果】
【００２０】
本発明によると、スクリーンスピーカに映し出された映像の対象物からあたかも音声が発せられたかのような臨場感あふれる音声を得ることができる。
【発明を実施するための最良の形態】
【００２１】
（第１の実施の形態）
以下、本発明の第１の実施の形態に係る音声処理装置２６および当該音声処理装置２６を用いたスクリーンスピーカ１１について、図面を参照しながら説明する。
【００２２】
図１は、本発明の第１の実施の形態に係る音声処理装置２６を用いて音圧レベルの調整が行われるスクリーンスピーカ１１の斜視図である。
【００２３】
音声処理装置２６は、スクリーンスピーカ１１とは別体として構成され、スクリーンスピーカ１１から放たれる音声に対する音圧レベルの調整を行う。スクリーンスピーカ１１は、約１５０インチの大きさを有する大型のスクリーンスピーカであり、図１に示すように、後述するプロジェクタからの映像を映し出すスクリーン１２と、スクリーン１２を保持する筐体１４と、後述する、スクリーン１２を振動させる複数の駆動手段としての駆動体１５と、を有している。また、スクリーンスピーカ１１は、図１において左側上方の領域となる左チャンネル領域１６と、右側下方の領域となる右チャンネル領域１７と、左チャンネル領域１６と右チャンネル領域１７の間の領域となる中央チャンネル領域１８の３つの領域に大きく分かれている。左チャンネル領域１６、右チャンネル領域１７および中央チャンネル領域１８のそれぞれには、左チャンネル（図中においてＬと表記する。）、右チャンネル（図中においてＲと表記する。）および中央チャンネル（図中についてＣと表記する。）のそれぞれから信号が加えられえる。
【００２４】
図２は、本発明の第１の実施の形態に係る音声処理装置２６を用いたスクリーンスピーカ１１の左チャンネル領域１６における分割領域ａｎの構成を示す図である。
【００２５】
図２に示すように、左チャンネル領域１６は、４行４列のマトリックス状をした１６個の分割領域ａＬ１１〜ａＬ４４に分割されている。なお、図２における記号Ｘ１，Ｘ２，Ｘ３，Ｘ４中の数字を行番号とし、記号Ｙ１，Ｙ２，Ｙ３，Ｙ４中の数字を列番号として左チャンネル領域１６中の分割領域ａＬ１１〜ａＬ４４の位置を規定する。なお、以下の説明において、任意の分割領域を示す場合には、単に、分割領域ａｎと表記する。また、分割領域ａＬ１１〜ａＬ４４中に用いられている記号Ｌは、分割領域ａＬ１１〜ａＬ４４が左チャンネル領域１６に設けられている旨を表している。例えば、左チャンネル領域１６において、図２中の記号Ｘ１と記号Ｙ２とによって規定される分割領域ａｎは、分割領域ａＬ１２となる。分割領域ａＬ１１〜ａＬ４４には、スクリーン１２を駆動するための駆動体１５がそれぞれ配置されている。右チャンネル領域１７および中央チャンネル領域１８のそれぞれにも、左チャンネル領域１６に設けられた分割領域ａＬ１１〜ａＬ４４と同様の分割領域ａＲ１１〜ａＲ４４および分割領域ａＣ１１〜ａＣ４４がそれぞれ設けられている。なお、分割領域ａＲ１１〜ａＲ４４および分割領域ａＣ１１〜ａＣ４４に用いられている記号Ｒおよび記号Ｃは、分割領域ａＲ１１〜ａＲ４４および分割領域ａＣ１１〜ａＣ４４のそれぞれが、右チャンネル領域１７および中央チャンネル領域１８のにそれぞれ設けられている旨を表している。また、各チャンネル領域１６，１７，１８における任意の分割領域を示す場合には、それぞれ、分割領域ａＬ，ａＲ，ａＣと表記する。
【００２６】
図３は、スクリーンスピーカ１１の駆動システム２４の構成を示す図である。図４は、図３に示す音声処理部１０の構成を示す図である。図５は、チャンネル毎の音声信号、音圧信号、および、その他の信号を示す図であり、（ａ）は、ＬＲクロックの状態変化を経時的に示す図であり、（ｂ）は、音声音圧クロックの状態変化を経時的に示す図であり、（ｃ）は、ＬＲ音声音圧信号の様子を経時的に示す図であり、（ｄ）は、ＣＳ音声音圧信号の様子を経時的に示す図である。図６は、左チャンネル領域１６における音圧分布の一例を示す図である。
【００２７】
駆動システム２４は、図３に示すように、スクリーンスピーカ１１と接続される音声処理装置２６と、ＤＶＤ（Digital Versatile Disk）プレーヤ２８と、プロジェクタ３０と、操作部４０とから、主に構成されている。
【００２８】
ＤＶＤプレーヤ２８は、記録媒体であるＤＶＤに記録されている情報を光学的に読み出し、音声処理装置２６に供給する。なお、本実施の形態では、ＤＶＤプレーヤ２８によって再生される信号には、通常の映像信号および音声信号の他に、スクリーン１２上における音圧の分布を示す音圧信号が含まれている。
【００２９】
すなわち、本実施の形態では、スクリーンスピーカ１１の各駆動体１５から発せられる音声が、スクリーン１２に映し出される映像の対象物（音源）から発せられたような音響効果を得るために、ＤＶＤ等の記録媒体に映像信号および音声信号に加えて、音圧信号が記録されている。この音圧信号により、対象物（音源）に近い分割領域ａｎほど、出力音圧レベルが高くなるように駆動されるため、あたかも映像の対象物から音声が発せられているような効果を得る。
【００３０】
操作部４０は、例えば、複数の操作ボタンによって構成され、音声処理装置２６の各種設定（音量の設定等）を行う際に操作される。プロジェクタ３０は、ＤＶＤプレーヤ２８から供給された映像信号に基づく映像を、スクリーン１２上に投影する投影装置である。音声処理装置２６は、ＤＶＤプレーヤ２８から供給された音声信号および音圧信号に基づいて、スクリーンスピーカ１１を駆動するための処理を行う。駆動体１５は、例えば、ボイスコイルおよび磁気ユニットによって構成され、分割領域ａｎのそれぞれに対して１つずつ設けられており、分割領域ａｎを音声処理装置２６からの駆動信号に基づいて駆動する。
【００３１】
音声処理装置２６は、図３に示すように、信号処理部３２と、ビデオデコーダ３４と、音声処理部１０と、制御部３８と、アンプｂＬ１１〜ｂＬ４４と、アンプｂＲ１１〜ｂＲ４４と、アンプｂＣ１１〜ｂＣ４４と、から主に構成されている。なお、以下の説明において、任意のアンプを示す場合には、単に、アンプｂｎと表記する。また、上記のアンプｂｎに用いられている記号ｎは、上述した場合と同様、各チャンネルおよび上記各分割領域ａｎを表す記号ｎに対応している。
【００３２】
入力手段としての信号処理部３２は、ＤＶＤプレーヤ２８から送信される再生信号から映像信号、音声信号、および、音圧信号を分離抽出し、音声信号および音圧信号については音声処理部１０に供給し、映像信号についてはビデオデコーダ３４に供給する。
【００３３】
ビデオデコーダ３４は、信号処理部３２から供給された映像信号をデコードし、得られた映像信号（例えば、ＮＴＳＣ信号等）をプロジェクタ３０に供給する部分である。
【００３４】
算出手段および生成手段としての音声処理部１０は、信号処理部３２から供給された音圧信号から、スクリーン１２上における音圧の分布状態を決定する係数である音圧分布係数を算出し、当該音圧分布係数と、音声信号とに基づいて、各駆動体１５の駆動信号を生成し、アンプｂｎにそれぞれ供給する。
【００３５】
より具体的には、音声処理部１０は、図４に示すように、入力回路３６ａと、演算回路３６ｂと、信号処理回路３６ｃと、を有している。ここで、入力回路３６ａは、各チャンネルに対する音声信号および音圧信号の抽出を行う信号抽出回路３６ｄと、その抽出された音声信号および音圧信号をチャンネル毎に格納する記憶回路３６ｅと、を有している。演算回路３６ｂは、入力回路３６ａによって抽出された音圧信号に基づいて音圧分布係数を算出するとともに、当該音圧分布係数と音声信号とに基づいて駆動信号を生成するための演算を行う部分である。信号処理回路３６ｃは、入力された駆動信号（デジタル信号）を、アナログ信号に変換し、アンプｂｎに供給する。
【００３６】
アンプｂＬ１１〜ｂＬ４４、アンプｂＲ１１〜ｂＲ４４およびアンプｂＣ１１〜ｂＣ４４は、信号処理回路３６ｃから供給された駆動信号を所定のゲインで増幅し、各分割領域ａｎに設けられている駆動体１５を駆動する。なお、アンプｂＬ１１〜ｂＬ４４、アンプｂＲ１１〜ｂＲ４４およびアンプｂＣ１１〜ｂＣ４４は、図４に示すように、左チャンネル（Ｌ）、右チャンネル（Ｒ）および中央チャンネル（Ｃ）の各チャンネルに対応するように設けられている。
【００３７】
次に、本発明の第１の形態の動作について説明する。
【００３８】
まず、操作者が、映像信号、音声信号および音圧信号が記録された所望のＤＶＤをＤＶＤプレーヤ２８にセットし、ＤＶＤプレーヤ２８の再生を開始する。すると、ＤＶＤプレーヤ２８は、ＤＶＤに記憶されている映像信号、音声信号、および、音圧信号を光学的に読み出し、再生信号として音声処理装置２６に供給する。
【００３９】
ところで、音圧信号は、後述するように音圧分布係数を算出する目的で使用される。このような音圧分布係数は、映像を撮影する際に、チャンネル毎に複数のマイクロフォンを設け、これら複数のマイクロフォンの音圧分布に基づいて生成することができる。あるいは、ＤＶＤの製造者が、撮影された映像信号および音声信号をパーソナルコンピュータに取り込み、映像信号を画面上に再生しながら音源の位置を画面上で指定し、指定された音源の位置に基づいて、所定の演算処理（例えば、音源を中心として音圧がなめらかに減少するようにする演算処理（フィルタリング処理））を施すことにより、生成することができる。あるいは、複数の連続するフレームを比較し、フレーム間で変化が生じている部分（例えば、話者の唇、移動する自動車等）については、音源となる可能性が高いことから、前述の場合と同様の処理により、生成することができる。
【００４０】
音声処理装置２６の信号処理部３２は、ＤＶＤプレーヤ２８から供給された再生信号から映像信号を分離抽出し、ビデオデコーダ３４に供給する。また、信号処理部３２は、再生信号から音声信号と音圧信号とを分離抽出し、音声処理部１０に供給する。
【００４１】
ビデオデコーダ３４は、信号処理部３２から供給された映像信号（ＭＰＥＧ方式の映像信号）に対してデコード処理を施し、得られた映像信号（例えば、ＮＴＳＣ信号等）を、プロジェクタ３０に供給する。プロジェクタ３０は、ビデオデコーダ３４から供給された映像信号に対応する映像を、スクリーン１２に投影する。その結果、スクリーン１２には、ＤＶＤに記録されている映像が投影される。
【００４２】
一方、音声信号および音圧信号については、音声処理部１０に供給され、そこで処理が施される。具体的には、音声信号および音圧信号は、音声信号内に音圧信号が付加された形の音声音圧信号として音声処理部１０に供給される。この音声音圧信号は、図５（ｃ），(ｄ)に示すように、左チャンネル（Ｌ）および右チャンネル（Ｒ）用のＬＲ音声音圧信号並びに中央チャンネル（Ｃ）およびサブウーハ（Ｓ）用のＣＳ音声音圧信号として音声処理部１０に供給される。なお、サブウーハから放出される音声は、低域成分であり、指向性が低いため、音声音圧分布を形成する必要はない。このため、ＣＳ音声音圧信号においてサブウーハの音圧形成に対応する信号は含まれていない（図５(ｄ)参照）。以下、ＬＲ音声音圧信号とＣＳ音声音圧信号とをまとめて表す場合には、単に、音声音圧信号と表記する。
【００４３】
音声処理部１０の信号抽出回路３６ｄは、供給された音声音圧信号からチャンネル毎の音声信号および音圧信号を分離抽出し、記憶回路３６ｅに格納する。すなわち、信号抽出回路３６ｄには、音声信号または音圧信号右のいずれかを抽出するための音声音圧クロックが供給されている（図５（ｂ）参照）。さらに、信号抽出回路３６ｄには、音声音圧クロックで抽出された音声信号または音圧信号が左チャンネルまたは右チャンネルのいずれに該当するかを決定するためのＬＲクロックが供給されている（図５（ａ）参照）。また、信号抽出回路３６ｄは、ＬＲクロックに基づいて、音声音圧クロックによってＣＳ音声音圧信号から抽出された音声信号または音圧信号が中央チャンネルまたはサブウーハのいずれに該当するかを決定する。
【００４４】
具体的には、図５に示す音声音圧信号が入力されるとすると、図５（ｃ）において最も左側に位置するＬＲ音声音圧信号は、音声音圧クロック（図５（ｂ）参照）により音声信号が抽出され、当該音声信号がＬＲクロック（図５（ａ）参照）によって左チャンネルに該当すると判定される。その次に入力された信号（左から２番目の信号）は、音声音圧クロックにより音声信号が抽出され、当該音声信号がＬＲクロックによって右チャンネルに該当すると判定される。その次に付加された信号(左から３番目の信号)は、音声音圧クロックにより音圧信号が抽出され、当該音圧信号がＬＲクロックによって左チャンネルに該当すると判定される。さらに、次に付加された信号(左から４番目の信号)は、音声音圧クロックにより音圧信号が抽出され、当該音圧信号がＬＲクロックによって右チャンネルに該当すると判定される。以下、同様に、左チャンネルおよび右チャンネル用の音声信号および音圧信号もそれぞれ抽出される。
【００４５】
また、図５（ｄ）において最も左側に位置するＣＳ音声音圧信号は、音声音圧クロックにより音声信号が抽出され、当該音声信号がＬＲクロックによって中央チャンネルに該当すると判定される。その次に入力された信号（左から２番目の信号）は、音声音圧クロックにより音声信号が抽出され、当該音声信号がＬＲクロックによってサブウーハチャンネルに該当すると判定される。その次に入力された信号(左から３番目の信号)は、音声音圧クロックにより音圧信号が抽出され、当該音圧信号がＬＲクロックによって中央チャンネルに該当すると判定される。以下、同様に、音声信号が中央チャンネルおよびサブウーハチャンネルのそれぞれに順次割り当てられ、音圧信号が中央チャンネルに割り当てられる。
【００４６】
以上のようにして抽出された各チャンネルの音声信号および音圧信号は、記憶回路３６ｅに順次格納されていく。そして、全てのチャンネルの音声信号と音圧信号の格納が終了すると、演算回路３６ｂによって読み出され、後述するような処理が実行される。
【００４７】
すなわち、演算回路３６ｂは、まず、記憶回路３６ｅに格納されている音圧信号をチャンネル毎に読み出し、チャンネル毎に音圧分布係数を算出する。図６は、左チャンネル領域１６における音圧分布係数を示している。この図に示すように、音圧分布係数は、各分割領域ａＬに対して割り当てられた０〜９の間の数値であり、各分割領域ａＬから出力される音圧レベルを規定する数値である。音圧分布係数は、スクリーン１２上において音源が存在する位置に近いほど、大きな値となり、音源から離れるに従って小さな値となる。図６の例では、音源は分割領域ａＬ１１に存在しているので、分割領域ａＬ１１に関連付けされた音圧分布係数が“９”で最大となっており、これから離れるに従って小さな値となっている。なお、図６の例では、最小値は“１”となっているが、“０”が含まれるようにしてもよい。
【００４８】
ところで、音圧信号には、音圧分布係数自体ではなく、当該音圧分布係数を行列成分の積として表した音圧分布係数の素となる成分である音圧分布係数素が格納されている。すなわち、図６において、分割領域ａＬ１１に対応する音圧分布係数“９”は、列成分である音圧分布係数素“３”と、行成分の音圧分布係数素“３”の積として表される。同様にして、分割領域ａＬ１２に対応する音圧分布係数“３”は、列成分である音圧分布係数素“１”と、行成分の音圧分布係数素“３”の積として表される。従って、演算回路３６ｂは、記憶回路３６ｅに格納されている音圧信号に含まれているチャンネル毎の音圧分布係数素を読み出し、行成分と列成分とをそれぞれ乗算することにより、図６に示すような音圧分布係数を得る。なお、この例では、音圧分布係数素は、０〜３までの数値であるので、各音圧分布素は２ビットの信号によって表現される。また、音圧分布係数素は、全部で８個であるので、これら全てに必要なビット数は１６ビットとなる。
【００４９】
演算回路３６ｂは、記憶回路３６ｅに格納されているチャンネル毎の音圧分布係数素を乗算することにより、左チャンネル領域１６、右チャンネル領域、および、中央チャンネル領域１８のそれぞれに対する音圧分布係数を算出する。
【００５０】
続いて、演算回路３６ｂは、記憶回路３６ｅに格納されている音声信号をチャンネル単位で読み出し、先に求めた音圧分布係数との間で乗算処理を実行する。例えば、左チャンネルの音声信号に含まれている音声データが“１０”である場合には、当該値と図６に示すそれぞれの音圧分布係数とが乗算され、行列成分の音圧分布係数が１０倍された値が得られる。なお、音声信号は、例えば、１６ビットで表現される信号であり、０〜６５５３６の値をとる。したがって、音声信号と音圧分布係数とを単純に乗算した場合には、桁あふれ（オーバーフロー）を起こす場合も想定されるので、例えば、音声信号を１／９倍した後に、音圧分布係数を乗算すればよい。
【００５１】
演算回路３６ｂは、チャンネル毎に前述のような処理（音圧分布係数と音声信号とを乗算する処理）を実行し、得られた４行４列の行列要素を、信号処理回路３６ｃに供給する。
【００５２】
信号処理回路３６ｃは、演算回路３６ｂから供給された行列要素のそれぞれに対して、操作部４０によって設定された音量に関する係数（全体の音量に関する係数および左右のバランスに関する係数等であり、例えば、０〜１の間の数）を乗算した後、デジタルからアナログ信号に変換し、アンプｂｎに出力する。左チャンネル領域１６の場合では、図６に示す１６個の音圧分布係数と、音声信号の値が乗算され、得られた１６個の値に対して、音量に関する係数が乗算された後、アナログ信号に変換されて各チャンネルに対応するアンプｂＬ１１〜ｂＬ４４に駆動信号として供給される。右チャンネル領域１７および中央チャンネル領域１８についても同様の処理が行われ、得られた信号がアンプｂＲ１１〜ｂＲ４４およびアンプｂＣ１１〜ｂＣ４４に駆動信号としてそれぞれ出力される。
【００５３】
アンプｂＬ１１〜ｂＬ４４、アンプｂＲ１１〜ｂＲ４４およびアンプｂＣ１１〜ｂＣ４４は、信号処理回路３６ｃから供給された駆動信号を所定のゲインで増幅した後、図３に示す分割領域ａｎに配置されている駆動体１５のそれぞれに出力する。
【００５４】
各駆動体１５は、アンプｂｎから供給された駆動信号に応じた振幅で振動し、音声を出力する。
【００５５】
次に、音源が左チャンネル領域における分割領域ａＬ１１から分割領域ａＬ２２を経て分割領域ａＬ３３に移動する場合の動作について説明する。
【００５６】
図７は、音源が移動した場合の左チャンネル領域１６における音圧分布係数の変化を示す図であり、（ａ）は、音源が移動する前の状態であり、分割領域ａＬ１１に音源が存在する場合の音圧分布係数を示す図であり、（ｂ）は、分割領域ａＬ２２に音源が存在する場合の音圧分布係数を示す図であり、（ｃ）は、分割領域ａＬ３３に音源が存在する場合の音圧分布係数を示す図である。
【００５７】
まず、音源が分割領域ａＬ１１に存在する場合は、上述したように、各行および各列に対して割り当てられた音圧分布係数素を各行列ごとに乗ずることで、図７（ａ）に示すような、音圧分布係数が算出される。図７（ａ）に示すように、音圧分布係数は、音源となる分割領域ａＬ１１が最も大きな値（＝９）となっており、その下の分割領域ａＬ２１の数値が次に大きな値（＝６）となっている。このように、分割領域ａＬ１１から離れるにつれて音圧分布係数は、徐々に小さな値となっている（図７（ａ）参照）。ここで、各分割領域ａｎから出力される音声の音圧レベルは、各分割領域に割り当てられている音圧分布係数に略比例するので、図７（ａ）の例では、分割領域ａＬ１１から出力される音声の音圧レベルが最も高くなる。
【００５８】
次に、音源が分割領域ａＬ１１から分割領域ａＬ２２に移動すると、図７（ｂ）に示すような音圧分布係数となる。この場合、Ｘ１＝２，Ｘ２＝３，Ｘ３＝２，Ｘ４＝１，Ｙ１＝２，Ｙ２＝３，Ｙ３＝１，Ｙ４＝１のような音圧分布係数素が各行および各列に対して割り当てられる。そして、これら各行および各列に対して割り当てられた音圧分布係数素を各行列ごとに乗ずることで、図７（ｂ）に示すような、音圧分布係数が算出される。図７（ｂ）に示すように、音圧分布係数は、音源となる分割領域ａＬ２２が最も大きな値（＝９）となっており、その上下および左の分割領域ａＬ１２，ａＬ３２，ａＬ２１の値がそれぞれ次に大きな値（＝６）となっている。このように、分割領域ａＬ２２から離れるに従って音圧分布係数が、徐々に小さな値となっている（図７（ｂ）参照）。
【００５９】
次に、音源が分割領域ａＬ２２から分割領域ａＬ３３に移動すると、図７（ｃ）に示すような音圧分布係数となる。この場合、Ｘ１＝１，Ｘ２＝２，Ｘ３＝３，Ｘ４＝２，Ｙ１＝１，Ｙ２＝２，Ｙ３＝３，Ｙ４＝１のような音圧分布係数素が各行および各列に対して割り当てられる。そして、これら各行および各列に対して割り当てられた音圧分布係数素を各行列ごとに乗ずることで、図７（ｃ）に示すような、音圧分布係数が算出される。図７（ｃ）に示すように、音圧分布係数を表す値は、音源となる分割領域ａＬ３３が最も大きな値（＝９）となっており、その上下および左の分割領域ａＬ２３，ａＬ４３，ａＬ３２の数値がそれぞれ次に大きな値（＝６）となっている。このように、分割領域ａＬ３３から離れるにつれて音圧分布係数を表す数値は、徐々に小さな値となっている（図７(ｃ)参照）。なお、図７には示されていないが、右チャンネル領域１７および中央チャンネル領域１８における音圧分布係数を表す値もチャンネル毎の各分割領域ａＲ，ａＣに割り当てられるものとする。
【００６０】
以上のように構成された、音声処理装置２６を採用したスクリーンスピーカ１１では、各チャンネルに形成された１６個の分割領域ａｎに対して音圧分布係数を割り当て、当該音圧分布係数に応じて各駆動体１５を駆動するようにしたので、スクリーン１２に映し出された映像において対象物の位置する分割領域ａｎを音源としてスクリーン１２から音声を放出することができる。したがって、対象物に伴って音源の位置を変化させることで、対象物からあたかも音声が発せられたように音声を調節することができる。また、対象物がスクリ−ン中を移動した場合でも、対象物の位置と音源の位置とを一致させることができるため、視聴者に、あたかも対象物から音声が発せられたような臨場感あふれる音声を提供することが可能となる。
【００６１】
また、音声処理装置２６を採用したスクリーンスピーカ１１では、１６個の各分割領域ａｎに駆動体１５が配置されているため、スクリーンスピーカ１１が大型である場合でも、音源の位置に合わせて音声の音圧レベルを効率的に調節することができる。また、画面が大型化するほど音源位置の影響は顕著になるため、音圧レベルの調節がより効果的に音声に反映される。したがって、スクリーンスピーカ１１では、通常の大きさのスクリーンスピーカと比較して、視聴者により迫力ある音声を提供することができる。
【００６２】
また、音声処理装置２６では、１つのチャンネル内において音圧分布係数を変化させ、各分割領域ａｎから出力される音声の音圧レベルを変化させている。一般的に、音源の時間的な移動量は、音声の時間的な変化量に比較すると小さい。すなわち、音源である人間またはその他の物体は、一定の質量を有していることから、その移動速度は音声の時間的な変化に比較すると緩やかである。従って、音圧分布係数の変化は、音声の変化に比較すると緩やかであり、情報量としては少ない。また、本実施の形態では、１６個の分割領域ａｎに対応して１６個の音圧分布係数を用いている。このため、チャンネル数を増加させて音圧レベルの調整をする場合（例えば、左、右、中央をそれぞれ１６チャンネルずつとした場合）と比較して、ＤＶＤ等の記録媒体に格納するデータ量を少なくすることができる。また、格納するデータ量が少ないため、音圧レベルの調整を単純な形式で行うことが可能となり、その結果、コストの削減を図ることが可能となる。
【００６３】
また、音声処理装置２６を採用したスクリーンスピーカ１１では、各分割領域ａｎに割り当てられる音圧分布係数を、行および列の要素として与えられる音圧分布係数素の積として表すようにしている。そのため、音圧分布を制御するためのパラメータの数を少なくできると共に、音圧分布の算出に用いるデータ量を少なくできる。
【００６４】
また、信号処理部３２では、ＬＲクロックと音声音圧クロックの２つの信号を用いてチャンネル毎の音声信号と音圧信号を分離しているため、複数の信号をひとつのビットストリームにまとめることができるので、装置の構成を簡略化することができる。
【００６５】
また、音声処理装置２６を採用したスクリーンスピーカ１１では、各分割領域ａｎにそれぞれ駆動体１５が配置されており、駆動体１５のそれぞれに音圧分布信号が割り当て割り当てられている。したがって、各分割領域ａｎから異なった音圧レベルを有する音声を簡易に発生させることができる。
【００６６】
（第２の実施の形態）
次に、本発明の第２の実施の形態に係る音声処理装置４１および当該音声処理装置４１を用いたスクリーンスピーカ１１について、図面を参照しながら説明する。本発明の第２の実施の形態において、第１の実施の形態と同一の部材、同一の部分には同一の符号を付すと共にその説明を省略または簡略化する。なお、第２の実施の形態では、音声処理装置４１におけるチャンネル毎の音声信号および音圧信号の生成方法のみが異なるため、その相違部分について述べる。
【００６７】
図８は、チャンネル毎の音声データおよび音圧データを生成するための構成を示す図であり、（ａ）は、ＬＲクロックの状態変化を経時的に示す図であり、（ｂ）は、ＬＲ音声信号の様子を経時的に示す図であり、（ｃ）は、ＬＲ音圧信号の様子を経時的に示す図であり、（ｄ）は、ＣＳ音声信号の様子を経時的に示す図であり、（ｅ）は、ＣＳ音圧信号の様子を経時的に示す図である。
【００６８】
本実施の形態では、音声信号と音圧信号は独立的に付加され、ＬＲクロックを用いて各チャンネル用の音声信号と音圧信号が抽出される。信号抽出回路３６ｆには、図８（ｂ），(ｃ)，(ｄ)，(ｅ)に示すように、左チャンネル（Ｌ）および右チャンネル（Ｒ）用のＬＲ音声信号およびＬＲ音圧信号と、中央チャンネル（Ｃ）およびサブウーハ（Ｓ）用のＣＳ音声信号と、中央チャンネル用（Ｃ）のＣＳ音声音圧信号とが入力される。なお、前述のように、サブウーハにおいては音圧分布を形成する必要はないため、ＣＳ音圧信号にはサブウーハチャンネル用の音圧信号は含まれていない（図８(ｅ)参照）。
【００６９】
本実施の形態では、信号抽出回路３６ｆには、入力された音声信号または音圧信号を左チャンネルおよび右チャンネルのいずれかに振り分けるＬＲクロックが入力されている（図８（ａ）参照）。また、このＬＲクロックは、ＣＳ音声信号またはＣＳ音圧信号のそれぞれを中央チャンネルおよびサブウーハのいずれかに振り分ける用途にも使用される。
【００７０】
具体的には、ＬＲ音声信号が抽出回路３６ｆに入力された場合、当該ＬＲ音声信号は、ＬＲクロックに基づいて左チャンネルまたは右チャンネルのいずれに該当するかが判定され、その結果、左チャンネル用および右チャンネル用の音声信号がそれぞれ抽出される。また、ＬＲ音圧信号も同様に、ＬＲクロックに基づいて左チャンネルまたは右チャンネルのいずれに該当するかが判定され、その結果、左チャンネル用および右チャンネル用の音圧信号がそれぞれされる。さらに、ＣＳ音声信号がについては、ＬＲクロックに基づいて中央チャンネルまたはサブウーハのいずれに該当するかが判定され、その結果、中央チャンネル用およびサブウーハ用の音声信号がそれぞれ生成される。また、ＣＳ音圧信号については、ＬＲクロックによって中央チャンネルに割り当てられる音圧信号のみが抽出される（サブウーハに対応する音圧信号は付加されないためサブウーハ用の音圧データは生成されない。）。
【００７１】
以上のようにして生成された各チャンネル用の音声データおよび音圧データは、第１の実施の形態の場合と同様、演算回路３６ｂに入力され、チャンネル毎の音圧分布係数が算出される。そして、音圧分布係数と音声信号とが乗算され、得られた信号が信号処理回路３６ｃに供給され、アナログ信号に変換された後、対応するアンプｂｎに供給される。アンプｂｎは、信号処理回路３６ｃから供給された信号に基づいて各チャンネル領域１６，１７，１８における分割領域ａｎのそれぞれに配置されている駆動体１５を駆動する。
【００７２】
以上のようにして構成された、音声処理装置４１では、チャンネル毎の音声信号および音圧信号を生成するために入力される信号をそれぞれＬＲ音声信号、ＬＲ音圧信号、ＣＳ音声信号およびＣＳ音圧信号とパラレルに付加することで、これら各信号の内容を単純にでき、当該各信号の生成および分離が容易となる。また、チャンネル毎に生成された音声信号と音圧信号が音声処理装置４１に入力されるため、音声処理装置４１内で各チャンネルに対する音声信号と音圧信号の生成をする必要がなくなる。したがって、音声処理装置４１の構成を単純化できると共に、音声処理装置４１での信号処理の迅速化を図ることが可能となる。
【００７３】
（第３の実施の形態）
次に、本発明の第３の実施の形態に係る音声処理装置４２について説明する。なお、本実施の形態において、第１の実施の形態と、同じ作用・効果についてもその説明を省略する。また、第１の実施の形態と同一の部材、同一の部分には同一の符号を付すと共にその説明を省略または簡略化する。なお、第３の実施の形態では、音圧分布係数素のビット数と、分割領域の分割数およびそれに付随する部分が異なるため、その相違部分を中心に説明する。
【００７４】
図９は、本発明の第３の実施の形態に係る左チャンネル領域１６における分割領域および音圧分布係数を示す図である。
【００７５】
図９に示すように、本実施の形態では、左チャンネル領域１６は、６行４列のマトリックス状をした２４個の分割領域ａＬ１１〜ａＬ６４に分割されている。なお、図９における記号Ｘ１，Ｘ２，Ｘ３，Ｘ４，Ｘ５，Ｘ６中の数字を行番号とし、記号Ｙ１，Ｙ２，Ｙ３，Ｙ４中の数字を列番号として左チャンネル領域１６中の分割領域ａＬ１１〜ａＬ６４の位置を規定する。また、分割領域ａＬ１１〜ａＬ４４中に用いられている記号Ｌは、分割領域ａＬ１１〜ａＬ４４が左チャンネル領域１６に設けられている旨を表している。また、分割領域ａＬ１１〜ａＬ６４のそれぞれには、スクリーン１２を駆動させるための駆動体１５がそれぞれ配置されている。右チャンネル領域１７および中央チャンネル領域１８のそれぞれにも、左チャンネル領域１６に設けられた分割領域ａＬ１１〜ａＬ６４と同様の分割領域ａＲ１１〜ａＲ６４および分割領域ａＣ１１〜ａＣ６４がそれぞれ設けられている。なお、分割領域ａＲ１１〜ａＲ６４および分割領域ａＣ１１〜ａＣ６４に用いられている記号Ｒおよび記号Ｃは、分割領域ａＲ１１〜ａＲ６４および分割領域ａＣ１１〜ａＣ６４のそれぞれが、右チャンネル領域１７および中央チャンネル領域１８のにそれぞれ設けられている旨を表している。また、任意の分割領域を示す場合には、単に、分割領域ａｎと表記する。また、各チャンネル領域１６，１７，１８における任意の分割領域を示す場合には、それぞれ、分割領域ａＬ，ａＲ，ａＣと表記する。
【００７６】
図９に示すように、例えば、分割領域ａＬ３２に音源がある場合、Ｘ１＝２，Ｘ２＝４，Ｘ３＝７，Ｘ４＝６，Ｘ５＝３，Ｘ６＝１，Ｙ１＝３，Ｙ２＝５，Ｙ３＝１，Ｙ４＝４のような音圧分布係数素が各行および各列に対して割り当てられる。本実施の形態では、上記音圧分布係数素を３ｂｉｔの値により、０〜７の間の値として表している。そして、これら各行および各列に対して割り当てられた音圧分布係数素を各行列ごとに乗ずることで、図９に示すように、分割領域ａＬにおける音圧分布係数が算出される。図９に示すように、音圧レベルを表す値は、音源となる分割領域ａＬ３２が最も大きな値（＝２３(１６進法)）となっており、分割領域ａＬ３２から離れるにつれて徐々に小さな値となっている。右チャンネル領域１７および中央チャンネル領域１８に関しても、音圧分布を算出するために同様の演算が行われる。なお、図９中で使用されているアルファベットＡ，Ｃ，Ｅ，Ｆは、それぞれ１０進法で表す数字の１０，１２，１４，１５を表している。
【００７７】
以上のように構成された、音声処理装置４２を採用したスクリーンスピーカ１１では、チャンネル毎に２４個の分割領域ａｎが形成されているため、より細分化された領域の音圧を変化させることが可能となる。このため、スクリーンに映し出された映像において対象物の位置する分割領域ａｎを音源としてスクリーン１２から音声を放出することができる。また、各チャンネル領域１６，１７，１８は、２４個と多くの分割領域ａｎを有しているため、音源の位置をさらに細分化された位置とすることができる。また、分割領域ａｎにおける各行および各列に割り当てる音圧分布係数素を３ｂｉｔによって表現することで、さらに広範囲の音圧分布係数を設定することが可能となる。そのため、音源の位置および音圧レベルをさらに多様に調節することができ、その結果、より臨場感あふれる音声を提供することが可能となる。
【００７８】
また、音声処理装置４２を採用したスクリーンスピーカ１１では、２４個の各分割領域ａｎに駆動体１５がそれぞれ配置されると共に、分割領域ａｎにおける各行および各列に割り当てる音圧分布係数素を３ｂｉｔによって表現しているため、より細かい音圧分布係数を形成することができる共に、当該音源の位置に合わせてより広い範囲で音圧レベルを調節することができる。そのため、スクリーンスピーカ１１が大型化した場合でも、その大型化に追従することができ、その結果、視聴者により迫力ある音声を提供することができる。
【００７９】
以上、本発明の一実施の形態について説明したが、本発明は上述の形態に限定されることなく、種々変形した形態にて実施可能である。
【００８０】
上述の各実施の形態では、スクリーンスピーカ１１をマトリックス状に分割して分割領域ａｎを設けたが、この形状に限定することなく、各分割領域ａｎを異なる大きさを有する四角形で形成するようにしても良いし、各分割領域ａｎを多角形等の他の形状としても良い。
【００８１】
また、上述の第１および第２の実施の形態並びに第３の実施の形態では、それぞれ、分割領域ａｎの数を１６個並びに２４個としたが、これに限定されることなく、２５個以上としても良いし、１５個以下としても良い。また、１７個以上２３個以下の範囲の個数としても良い。
【００８２】
また、上述の第１および第２の実施の形態並びに第３の実施の形態では、それぞれ、分割領域ａｎの各行および各列に割り当てられる音圧分布係数素を２ｂｉｔ並びに３ｂｉｔの値としたが、これらの値に限定されず、４ｂｉｔ以上の値としても良い。
【００８３】
また、上述の各実施の形態では、音圧分布係数の値を音圧レベルの差として、そのまま適用しているが、これに限定することなく、音圧分布信号をデシベル変換し、当該デシベル値に応じて駆動信号を生成するようにしてもよい。あるいは、この音圧レベルを相対値として用いるのではなく、ある基本音圧レベルに対して加算・減算するような方式を用いても良い。但し、減算方式を用いる場合は、音圧が大きい領域ほど音圧分布係数は小さくなるか、あるいは小さくなるように減算処理される。また、音圧分布の演算方法を単なる算出用数値の行列の積とせず、係数演算を行っても良いし、他の演算式を用いるようにしても良い。
【００８４】
また、上述の各実施の形態では、音圧分布係数素を乗算することにより、音圧分布係数を生成するようにしているが、音圧分布係数そのものを記録媒体に記録し、これを用いることも可能である。そのような方法によれば、情報量は増えるものの、より詳細な音圧分布係数を得ることができる。
【００８５】
また、上述の各実施の形態では、音圧信号を音声信号と同じ頻度で入力するようにしたが、前述したように音圧分布係数の変化は、音声信号の変化と比較すると非常に緩やかにであることから、例えば、音声信号が１０に対して、音圧信号が１の割合で入力するようにしてもよい。なお、これ以外の割合でもよいことはもちろんである。
【００８６】
また、上述の各実施の形態では、音圧分布係数素を一定の割合で入力するようにしたが、前述のように音圧分布係数は変化が緩やかであるため、例えば、同じ話者がスクリーン１２上の同じ位置で発話を続けているような場合には、音圧分布係数が同じ状態で継続されることになる。そのような場合には、音圧分布係数素を全て入力するのではなく、前回の音圧分布係数と同じであることを示す所定の信号（例えば、数ビットの信号）を入力し、前回と同じ音圧分布係数を用いることにより、音圧信号の情報量を有効に減らすことができる。
【００８７】
また、上述の各実施の形態では、ＤＶＤ等の記録媒体に記録されている音圧信号に基づいて、音圧分布係数を算出するようにしたが、映像信号から音圧分布係数を算出することも可能である。例えば、映像信号の数フレームを比較し、これらのフレームにおいて、変化が生じている領域（対象物が動いている領域）には、音源が存在する可能性が高いので、当該部分の値が高くなるように音圧分布係数を生成し、当該音圧分布係数を用いるようにしてもよい。そのような構成によれば、音圧信号が記録されていない記録媒体を用いた場合でも、臨場感がある音声を再生することができる。
【００８８】
また、上述の各実施の形態では、音源が１つの場合を例に挙げて説明したが、音源が２つ以上存在する場合には、図６において、ピークとなる領域が２つ以上存在するようにすればよい。
【００８９】
また、上述の各実施の形態では、演算回路３６ｂによるデジタル演算によって、音圧分布係数に応じた駆動信号を生成するようにしたが、例えば、音圧分布係数に応じてアンプｂｎのゲインを調整することで、所望の音圧分布を得るようにしてもよい。
【００９０】
また、上述の各実施の形態では、記録媒体としては、ＤＶＤを例に挙げて説明を行ったが、それ以外の記録媒体（例えば、ＨＤＤ（Hard Disk Drive）等）に記録された情報に基づいて映像および音声を再生するようにしてもよい。さらに、ネットワーク等を通じて情報を取得し、取得した当該情報に基づいて、前述の場合と同様の処理を行うことも可能である。
【００９１】
また、上述の各実施の形態では、音声処理装置２６，４１，４２は、スクリーンスピーカ１１とは独立した構成としたが、これらを一体化して構成するようにしてもよい。また、音声処理装置２６，４１，４２からアンプｂｎを除外し、当該部分のみをスクリーンスピーカ１１と一体化することも可能である。
【００９２】
また、上述の各実施の形態では、チャンネル数を３つとしているが、４つ以上としても良いし、２つ以下としても良い。
【００９３】
また、上述の各実施の形態では、各チャンネル領域１６，１７，１８における分割領域ａｎの数を同数としているが、それぞれ異なった数としても良い。また、各チャンネルにおける音圧レベルの範囲をそれぞれ異なった範囲に設定するようにしても良い。
【００９４】
また、上述の各実施の形態では、信号処理部３２，５２においてチャンネル毎の音声信号および音圧信号の生成が行われているが、これに限定することなく、音声処理装置２６，４１，４２で行うようにしても良い。
【００９５】
また、上述の各実施の形態では、各分割領域ａｎにそれぞれ１つずつの駆動体１５が配置されているが、各分割領域ａｎに２つ以上配置しても良いし、ある分割領域ａｎには駆動体１５を配置しないようにしても良い。
【００９６】
また、上述の各実施の形態では、チャンネル切り替え用のクロックとしては１つのＬＲクロックのみを用いて各チャンネル用の音声信号および音圧信号を生成しているが、複数のチャンネル切り替え用のクロックを併用して音声信号および音圧信号を生成するようにしても良い。
【産業上の利用可能性】
【００９７】
本発明の音声処理装置は、スクリーンに映像を投射させて音声を放出させるスクリーンスピーカ等の音響機器において利用することができる。
【図面の簡単な説明】
【００９８】
【図１】本発明の第１の実施の形態に係る音声処理装置を用いて音圧レベルの調整が行われるスクリーンスピーカの斜視図である。
【図２】本発明の第１の実施の形態に係る音声処理装置を用いたスクリーンスピーカの左チャンネル領域における分割領域の構成を示す図である。
【図３】図１中のスクリーンスピーカの駆動システムの構成を示す図である。
【図４】本発明の第１の実施の形態に係る音声処理装置の構成を示す図である。
【図５】図１中のスクリーンスピーカの駆動システムにおいてチャンネル毎の音声データおよび音圧データを生成するための構成を示す図であり、（ａ）は、ＬＲクロックの状態変化を経時的に示す図であり、（ｂ）は、音声音圧クロックの状態変化の様子を経時的に示す図であり、（ｃ）は、ＬＲ音声音圧信号の様子を経時的に示す図であり、（ｄ）は、ＣＳ音声音圧信号の様子を経時的に示す図である。
【図６】図２中の、左チャンネル領域に形成される音圧分布の一例を示す図である。
【図７】図７は、音源が移動した場合の左チャンネル領域における音圧分布を示す図であり、（ａ）は、音源が移動する前の状態であり、分割領域ａＬ１１に音源が存在する場合の音圧分布を示す図であり、（ｂ）は、分割領域ａＬ２２に音源が存在する場合の音圧分布を示す図であり、（ｃ）は、分割領域ａＬ３３に音源が存在する場合の音圧分布を示す図である。
【図８】本発明の第２の実施の形態に係る音声処理装置を用いたスクリーンスピーカの駆動システムにおいて、チャンネル毎の音声データおよび音圧データを生成するための構成を示す図であり、（ａ）は、ＬＲクロックの状態変化を経時的に示す図であり、（ｂ）は、ＬＲ音声信号の様子を経時的に示す図であり、（ｃ）は、ＬＲ音圧信号の様子を経時的に示す図であり、（ｄ）は、ＣＳ音声信号の様子を経時的に示す図であり、（ｅ）は、ＣＳ音圧信号の様子を経時的に示す図である。
【図９】本発明の第３の実施の形態に係る音声処理装置を用いたスクリーンスピーカの左チャンネル領域における分割領域の構成を示す図である。
【符号の説明】
【００９９】
２６，４１，４２…音声処理装置
１０  音声処理部（算出手段、生成手段）
１１…スクリーンスピーカ
１２…スクリーン
１５…駆動体（駆動手段）
３２  信号処理部（入力手段）
【図１】
2007150777.tif 000003
【図２】
2007150777.tif 000004
【図３】
2007150777.tif 000005
【図４】
2007150777.tif 000006
【図５】
2007150777.tif 000007
【図６】
2007150777.tif 000008
【図７】
2007150777.tif 000009
【図８】
2007150777.tif 000010
【図９】
2007150777.tif 000011